(57)【要約】      （修正有）【課題】茎に水分が無くなっても茎が折損することなく手芸が楽しめる装飾用手芸品を提供する。【解決手段】芳香性を有する草花やハーブ等からなる複数の素材１と、素材１の芳香部分を詰め込む袋状物４と、袋状物４を囲むように折り曲げられた素材１の茎１ａに交互に編み込むことにより袋状物４を覆うリボンテープ３とからなる装飾用手芸品の茎１ａの折り曲げ部分に針金を使用したもので、刈り取ってから日数が経過して茎１ａに水分がなくなった草花やハーブ等であっても、針金部分より折り曲げることにより茎１ａが折損することがないため、年間を通してラベンダーのような芳香性を有する草花やハーブ等が手芸用の素材１として使用できるようになる。【選択図】図７
2006103174.tif 000002
【特許請求の範囲】
【請求項１】
芳香性を有する草花やハーブ等からなる複数の素材と、前記素材の芳香部分を詰め込む袋状物と、前記袋状物を囲むように折り曲げられた前記素材の茎に交互に編み込むことにより前記袋状物を覆うリボンテープとからなる装飾用手芸品であって、前記茎の折り曲げ部分に針金を使用したことを特徴とする装飾用手芸品。
【請求項２】
前記袋状部に沿うように設けられた前記茎の途中を切断して、前記茎に挿通された前記針金を露出させ、かつ露出した前記針金部分にビーズを嵌挿してなる請求項１に記載の装飾用手芸品。
【請求項３】
芳香性を有する草花やハーブ等を茎ごと刈り取って複数の素材とし、かつ前記素材の芳香部と茎と分離する工程と、前記芳香部を袋状物に詰め込んだ後、束ねた複数本の針金を包み込むように前記袋状物を巻き上げる工程と、前記袋状物を紡錘形に整形して、形が崩れないよう適宜手段で固定する工程と、前記袋状物より突出した前記針金を折り曲げて袋状物の外周に沿わせた後、前記針金を適当な長さに切断する工程と、前記芳香部より切り取った前記茎の一端側を前記針金の一端に挿通して、前記針金と前記茎を連結する工程と、リボンテープを前記茎に交互に編み込むことにより前記袋状物を覆う工程とを具備したことを特徴とする装飾用手芸品の製作方法。
【発明の詳細な説明】
【技術分野】
【０００１】
本発明は、芳香性が高いラベンダーのような草花やハーブを素材とした装飾用手芸品及びその製作方法に関する。
【背景技術】
【０００２】
草花であるラベンダーは、生花の状態では勿論、ドライフラワーとしても高い芳香性を有することから、従来では茎ごと刈り取ったラベンダーで装飾品を製作したラベンダースティックが知られている。
前記ラベンダースティックは、例えば９本、１３本、１５本のように、奇数本のラベンダーを使用し、花の部分の外周面に沿うように茎を折り曲げた後、花の部分を覆うように茎の部分に紐や和紙、布等からなるリボンテープを交互に編み込むことにより、スティック状の装飾品を製作したもので、手軽にできる手芸品としてハーブ園等で製作されている。
【発明の開示】
【発明が解決しようとする課題】
【０００３】
しかし草花であるラベンダーは、茎ごと刈り取った後約２日間は茎に水分があることから、ラベンダースティックを製作する際茎を折り曲げても折損することは少ないが、２日が経過して茎に水分がなくなると、茎を折り曲げた際、茎が折損して花と茎が分離してしまうため、ラベンダースティックの素材として使用できなくなってしまう問題がある。
このため従来では、手芸でラベンダースティックを製作する場合、素材として使用できる期間がラベンダーの花が咲く時期に限られてしまうため、年間を通して手芸が楽しめない等の問題がある。
また装飾品としてラベンダースティックを製作する場合も、茎ごと刈り取ったラベンダーの茎が乾燥する前にラベンダースティックを製作しなければならず、特にラベンダースティックは、茎にリボンテープを編み込む作業が必要で、これら作業は手作業となるため、生産できる数量に限度がある上、短時間で多くのラベンダースティックを生産する必要がある等の問題があった。
【０００４】
本発明はかかる問題を改善するためになされたもので、年間を通して製作が可能な装飾用手芸品及びその製作方法を提供することを目的とするものである。
【課題を解決するための手段】
【０００５】
本発明の装飾用手芸品は、芳香性を有する草花やハーブ等からなる複数の素材と、素材の芳香部分を詰め込む袋状物と、袋状物を囲むように折り曲げられた素材の茎に交互に編み込むことにより袋状物を覆うリボンテープとからなる装飾用手芸品であって、茎の折り曲げ部分に針金を使用したものである。
【０００６】
前記構成により、刈り取ってから日数が経過して茎に水分がなくなった素材であっても、針金部分より折り曲げることにより茎が折損することがないため、年間を通してラベンダーのような芳香性を有する草花やハーブ等が手芸用の素材として使用できるようになり、これによって手芸用の素材として使用できる期間が花の咲く時期に限られてしまうという問題を解消できると共に、芳香性を有する茎を使用することにより、長期間芳香性が持続できるため、芳香性装飾品としての価値も向上する。
また茎に交互にテープリボンを編みこむ際茎が折れてしまった場合でも、茎の折れた部分に針金を差し込んで、折れた茎同士を簡単に接続することができるため、折れた茎が無駄になることがない上、接続部分の継ぎ目が目立たないため、装飾効果が損なわれることがないと共に、いままで余り利用せずに廃棄していた茎が利用できるため、ラベンダー生産者にとっても、茎が販売できるという経済的効果が得られるようになる。
【０００７】
本発明の装飾用手芸品は、袋状部に沿うように設けられた茎の途中を切断して、茎に挿通された針金を露出させ、かつ露出した針金部分にビーズを嵌挿したものである。
【０００８】
前記構成により、ビーズにより装飾品の装飾効果がさらに向上する上、任意な個所にビーズを設けることができるため、手芸をする人の趣向に合った装飾品が容易に得られると共に、針金にビーズを挿通するようにしたことにより、孔の小さいビーズが使用できるためビーズの選択幅が大幅に拡大され、これによって手芸をする人の好みに合わせたビーズの選択が容易になる。
【０００９】
本発明の装飾用手芸品は、芳香性を有する草花やハーブ等を茎ごと刈り取って複数の素材とし、かつ素材の芳香部と茎と分離する工程と、芳香部を袋状物に詰め込んだ後、束ねた複数本の針金を包み込むように袋状物を巻き上げる工程と、袋状物を紡錘形に整形して、形が崩れないよう適宜手段で固定する工程と、袋状物より突出した針金を折り曲げて袋状物の外周に沿わせた後、針金を適当な長さに切断する工程と、芳香部より切り取った茎の一端側を針金の一端に挿通して、針金と茎を連結する工程と、リボンテープを茎に交互に編み込むことにより前状物を覆う工程とを具備したものである。
【００１０】
前記方法により、刈り取ってから日数が経過して茎に水分がなくなった草花であっても、針金部分より折り曲げることにより茎が折損することがないため、年間を通してラベンダーのような芳香性を有する草花やハーブ等が手芸用の素材として使用できるようになり、これによって手芸用の素材として使用できる期間が花の咲く時期に限られてしまうという問題を解消できると共に、芳香性を有する茎を使用することにより、長期間芳香性が持続できるため、芳香性装飾品としての価値も向上する。
また茎に交互にテープリボンを編みこむ際茎が折れてしまった場合でも、茎の折れた部分に針金を差し込んで、折れた茎同士を簡単に接続することができるため、折れた茎が無駄になることがない上、接続部分の継ぎ目が目立たないため、装飾効果が損なわれることがないと共に、いままで余り利用せずに廃棄していた茎が利用できるため、ラベンダー生産者にとっても茎が販売できるという経済的効果が得られるようになる。
【発明の効果】
【００１１】
本発明の装飾用手芸品によれば、年間を通してラベンダーのような芳香性を有する草花やハーブ等が手芸用の素材として使用できるため、手芸用の素材として使用できる期間が花の咲く時期に限られてしまうという問題を解消することができる。
【発明を実施するための最良の形態】
【００１２】
本発明の実施の形態を、図面を参照して詳述する。
図１は装飾用手芸品の正面図、図２ないし図８は製作過程を示す説明図、図９は変形例を示す正面図である。
図１はラベンダースティックと呼ばれる装飾用手芸品を示すもので、素材として芳香性が高い草花である例えばラベンダーが使用されている。
ラベンダーよりなる素材１は、花の咲いた時期に茎ごと刈り取った後、茎の水分がなくなる前の２日間は、茎１ａを花１ｂの下から折り曲げても、茎１ａが折損することがないためそのまま使用できるが、刈り取ってから日数が経過すると茎１ａが乾燥して、茎１ａを花１ｂの下から折り曲げた場合、茎１ａが花１ｂの下から折損して花１ｂと茎１ａが分離してしまい、手芸の素材１として利用できなくなる。
【００１３】
発明者は、ラベンダーよりなる素材１の茎１ａは中空であることに着目して、茎１ａの内径にほぼ等しい外径の針金２を使用することにより、時期に関係なくラベンダーが手芸の素材１に使用できるようにした。
使用する針金２は、手芸でよく使用されている表面に例えば緑色の紙テープが巻き付けられ、かつ手で簡単に折り曲げることができる手芸用の針金２を使用し、リボンテープ３は市販されている布製テープや、紐、和紙等から好みのものを用意する。
また素材１の花１ｂを収容する袋状物４は、通気性に富む不織布を縫製または接着等の手段で長方形状の袋状物４を製作し、この中に素材１の茎１ａより分離した花１ｂの部分を詰め込む。
袋状物４内がほぼ一杯になるまで素材１の花１ｂを詰め込んだら、図２に示すように袋状物４の上に奇数本の針金２を束ねた状態で載せ、袋状物４の一端側より針金２を包むように巻き上げた後、袋状物４を紡錘形に整形して、形が崩れないよう紐状物５や針金等で固定する。
【００１４】
次に袋状物４より突出した針金２を、図３に示すようにほぼ逆Ｊ字形に折り曲げて袋状物４の外周に沿わせたら、針金２を適当な長さ、例えば袋状物４の長さに切断した後、針金２の一端に図４に花１ｂより切り取った茎１ａの一端側を図４及び図５に示すように圧入する。
以上のようにして袋状物４より突出した針金２に茎１ａを連結したら、針金２が外から見えないように針金２の露出部分からリボンテープ３の編み込みを開始する。
リボンテープ３の編み込みは図６に示すように、傘の骨状となった針金２及び茎１ａに交互にリボンテープ３を挿通して行い、１段目を編み込んだら、１段目と２段目のリボンテープ３の間に隙間が生じないように２段目を編み込む。
【００１５】
以下前記操作を繰り返して、リボンテープ３により袋状物４の全体を覆うもので、リボンテープ３を編み込む途中でビーズ６を編み込む場合は、編み込む部分の茎１ａを切断して針金２を露出させ、この針金２に図８に示すようにビーズ６を挿通することにより、袋状物４を覆うリボンテープ３の任意な個所に図１に示すようにビーズ６を編み込むことができるようになる。
またビーズ６に形成された孔は、通常茎１ａの外径より内径が小さいものが多いため、茎１ａに直接挿通して使用できるビーズ６の種類には限りがあったが、茎１ａ内に挿通した針金２にビーズ６を挿通するようにしたことにより、使用できるビーズ６の種類が多数となるため、好みに合わせたビーズ６の選択が容易になる。
【００１６】
リボンテープ３を各茎１ａの間に交互に編み込むことにより袋状物４全体をリボンテープ３で覆ったら、袋状物４の直下で各茎１ａを束ねて、余ったリボンテープ３を数回巻きつけ、茎１ａがバラケないように結束した後、さらにリボンテープ３を蝶結びして装飾性を高めると共に、スティック部の端末はフローラテープ（商品名）のような粘着テープを巻きつけて、茎１ａがバラケないように束ねる。
このとき針金２より外径の大きい茎１ａを束ねるようにしたことにより、針金２のみを束ねた場合に比べてスティック部分のボリューム感が増すため、全体の見栄えが向上すると共に、いままで利用されていなかったラベンダーの茎１ａの部分が利用できるようになることから、ラベンダー生産者とっても茎が販売できるという経済効果が得られるようになる。
【００１７】
一方よく乾燥した茎１ａを使用してリボンテープ３の編み込み作業をしていると、茎１ａが途中で折れてしまう場合がある。
このような場合は、茎１ａの折損した個所に針金２を圧入することにより、簡単に修復することができ、茎１ａの折損部を互いに密着させることにより、接続部分の継ぎ目が目立たないため、装飾効果が損なわれることもない。
また図９に示す変形例のように、束ねた茎１ａの一部を切断して、ビーズ６を嵌挿した針金２により各茎１ａを連結するようにすれば、束ねた茎１ａの任意な個所にビーズ６を介在させることができるため、装飾効果がさらに向上する。
【００１８】
なお前記実施の形態では、素材１に茎ごと刈り取ったラベンダーを使用した場合について説明したが、芳香性を有する他の草花や、ハーブ等を使用してもよい。
また茎１ａが中空でない草花やハーブを素材１に使用する場合は、茎１ａの部分全体を針金２で形成して、針金２にリボンテープ３を編み込んだ上、針金２の任意な個所にビーズ６を嵌挿することにより、前記実施の形態と同様な装飾用手芸品が得られるが、この場合芳香性を有するラベンダーの茎を使用した場合に比べて若干芳香性が劣ることがある。
【図面の簡単な説明】
【００１９】
【図１】本発明の実施の形態になる装飾用手芸品の正面図である。
【図２】本発明の実施の形態になる装飾用手芸品製作過程を示す説明図である。
【図３】本発明の実施の形態になる装飾用手芸品製作過程を示す説明図である。
【図４】本発明の実施の形態になる装飾用手芸品製作過程を示す説明図である。
【図５】本発明の実施の形態になる装飾用手芸品製作過程を示す説明図である。
【図６】本発明の実施の形態になる装飾用手芸品製作過程を示す説明図である。
【図７】本発明の実施の形態になる装飾用手芸品製作過程を示す説明図である。
【図８】本発明の実施の形態になる装飾用手芸品製作過程を示す説明図である。
【図９】本発明の実施の形態になる装飾用手芸品の変形例を示す正面図である。
【符号の説明】
【００２０】
１    素材
１ａ    茎
１ｂ    花
２    針金
３    リボンテープ
４    袋状物
６    ビーズ
【図１】
2006103174.tif 000003
【図２】
2006103174.tif 000004
【図３】
2006103174.tif 000005
【図４】
2006103174.tif 000006
【図５】
2006103174.tif 000007
【図６】
2006103174.tif 000008
【図７】
2006103174.tif 000009
【図８】
2006103174.tif 000010
【図９】
2006103174.tif 000011
【手続補正書】
【提出日】平成16年10月13日(2004.10.13)
【手続補正１】
【補正対象書類名】明細書
【補正対象項目名】０００２
【補正方法】変更
【補正の内容】
【０００２】
草花であるラベンダーは、生花の状態では勿論、ドライフラワーとしても高い芳香性を有することから、従来では茎ごと刈り取ったラベンダーで装飾品を製作したラベンダースティックが知られている。
前記ラベンダースティックは、例えば９本、１１本、１３本、１５本のように、奇数本のラベンダーを使用し、花の部分の外周面に沿うように茎を折り曲げた後、花の部分を覆うように茎の部分にリボンテープを交互に編み込むことにより、スティック状の装飾品を製作したもので、手軽にできる手芸品としてハーブ園等で製作されている。
【手続補正２】
【補正対象書類名】明細書
【補正対象項目名】００１６
【補正方法】変更
【補正の内容】
【００１６】
リボンテープ３を各茎１ａの間に交互に編み込むことにより袋状物４全体をリボンテープ３で覆ったら、袋状物４の直下で各茎１ａを束ねて、余ったリボンテープ３を数回巻きつけ、茎１ａがバラケないように結束した後、さらにリボンテープ３を蝶結びして装飾性を高めると共に、スティック部の端末はフローラテープ（商品名）のような粘着テープを巻きつけて、茎１ａがバラケないように束ねる。
このとき針金２より外径の大きい茎１ａを束ねるようにしたことにより、針金２のみを束ねた場合に比べてスティック部分のボリューム感が増すため、全体の見栄えが向上すると共に、いままで利用されていなかったラベンダーの茎１ａの部分が利用できるようになることから、ラベンダー生産者にとっても茎が販売できるという経済効果が得られるようになる。
【手続補正３】
【補正対象書類名】明細書
【補正対象項目名】００１８
【補正方法】変更
【補正の内容】
【００１８】
なお前記実施の形態では、素材１に茎ごと刈り取ったラベンダーを使用した場合について説明したが、芳香性を有する他の草花や、ハーブ等を使用してもよく、茎１ａが中空でない草花やハーブを素材１に使用する場合は、茎１ａの部分全体を針金２で形成して、針金２にリボンテープ３を編み込んだ上、針金２の任意な個所にビーズ６を嵌挿することにより、前記実施の形態と同様な装飾用手芸品が得られるが、この場合芳香性を有するラベンダーの茎を使用した場合に比べて若干芳香性が劣ることがある。
また刈り取って日が浅く、茎１ａに水分があるラベンダーを素材１として使用する場合は、茎１ａを折り曲げて使用することができるため、折り曲げ部に針金２を入れる必要はないが、２〜３本の針金２を茎１ａと同様に折り曲げて、茎１ａとともに袋状物４の外周に沿わせることにより、針金２にビーズ６を挿通することができるため、茎１ａを曲げて製作したラベンダースティックにも、任意な個所にビーズ６を織り込むことができる。
さらに茎１ａを曲げて製作したラベンダースティックの束ねた茎１ａの一部を切断して、ビーズ６を嵌挿した針金２により各茎１ａを連結するようにすれば、茎１ａを曲げて製作したラベンダースティックであっても、束ねた茎１ａの任意な個所にビーズ６を介在させることができる。